(57)【要約】【課題】締め付ける箇所の連続した、筋肉のバランス治療を目的とする、テーピング効果を有するニット製肌着等を提供する。【解決手段】ニット製肌着等の編地２にスパイラルテープ３を数コース連続的に巻回してなり、該スパイラルテープ３がカットボス編、又は前記編地組織と異なる組織に編成したテーピング効果を有するニット製肌着等１を構成するものである。【選択図】図１
2006312789.tif 000002
【特許請求の範囲】
【請求項１】
編地にスパイラル状のテーピング組織が複数コース連続的に編成されてなり、該スパイラル状テーピング組織は前記編地に添糸を編み込み、該添糸の両端を切断したカットボス編、又は前記編地組織と異なる組織に編成したことを特徴とするテーピング効果を有するニット製肌着、靴下、ふくらはぎサポータ、スパッツ及びタイツ類。
【請求項２】
芯糸のポリウレタン弾性糸にナイロンフィラメント糸又はウーリーナイロン糸をカバリングしたシングル又はダブルカバリングヤーンの編糸と、ナイロンフィラメント単糸、又は該双糸、綿、レーヨン等からなる混紡糸とで編成された交編編地に、ポリウレタン弾性糸にナイロンフィラメント糸又はウーリーナイロン糸をカバリングしたシングル又はダブルカバリングヤーンからなる添糸を編み込んだスパイラル状テーピング組織を複数コース連続的に編成された請求項１記載のテーピング効果を有するニット製肌着、靴下、ふくらはぎサポータ、スパッツ及びタイツ類。
【請求項３】
芯糸のポリウレタン弾性糸にナイロンフィラメント糸又はウーリーナイロン糸をカバリングしたシングル又はダブルカバリングヤーン、ナイロンフィラメント単糸、又は該双糸、綿、レーヨン等からなる混紡糸のいずれか又はその組み合わせからなる編糸に、芯糸のポリウレタン弾性糸にナイロンフィラメント糸又はウーリーナイロン糸をカバリングしたシングルカバリングヤーン又はダブルカバリングヤーンを挿入したレイイン編地に、ポリウレタン弾性糸にナイロンフィラメント糸又はウーリーナイロン糸をカバリングしたシングル又はダブルカバリングヤーンからなる添糸を編み込んだスパイラル状テーピング組織を複数コース連続的に編成された請求項１記載のテーピング効果を有するニット製肌着、靴下、ふくらはぎサポータ、スパッツ及びタイツ類。
【請求項４】
芯糸のポリウレタン弾性糸にナイロンフィラメント糸又はウーリーナイロン糸をカバリングしたシングル又はダブルカバリングヤーンからなる編糸で編成された編地に、ポリウレタン弾性糸にナイロンフィラメント糸又はウーリー糸をカバリングしたシングルカバリングヤーン又はダブルカバリングヤーンからなる添糸を編み込んだスパイラル状テーピング組織を複数コース連続的に編成された請求項１記載のテーピング効果を有するニット製肌着、靴下、ふくらはぎサポータ、スパッツ及びタイツ類。
【請求項５】
心臓より遠隔部が心臓より近接部に比べて編目を小さくし、心臓より遠隔部が心臓より近接部に比べて被服圧が大きくなるように編成した請求項１ないし請求項４のいずれかに記載のテーピング効果を有するニット製肌着、靴下、ふくらはぎサポータ、スパッツ及びタイツ類。
【発明の詳細な説明】
【技術分野】
【０００１】
本発明は、テーピング効果を有するニット製肌着、靴下、ふくらはぎサポータ、スパッツ、タイツ類（以下、ニット製肌着等という。）に係り、更に詳しくは、テープを肌に張ったり、巻回するのではなく、ニット製肌着等を着たり履いたりするだけで、テーピング効果の得られるニット製肌着に関するものである。
【背景技術】
【０００２】
指、手首等の関節部分の、つき指、捻挫、脱臼等の応急処置用を始め、筋肉、関節等の動きを規制して挫傷、打撲、肉離れ、捻挫、骨折の防止用として、さらに筋肉のバランス治療用として、実用新案文献や特許文献の医療用テーピングテープが公知である。但し、これ等は、手や足等の身体の一部に張り付けたり、巻き付けて使用するという手間が必要となる。
【特許文献１】実開平７−４３３３０号公報
【特許文献２】特開平１１−１７８９７２号公報
【０００３】
この点、テープを肌に張ったり、巻き付ける必要のない、肌に着たり履いたりするだけのニット製肌着等が開発されている。膨ら脛用のサポ−タとしては、本発明の出願人が先に出願した特許文献３の先行技術がある。
【特許文献３】特開２００２−２６６１２５号公報
【０００４】
またタイツやスパッツとしては、特許文献４、特許文献５、特許文献６、特許文献７の先行技術がある。
【特許文献４】特開２００４−２３８７８９号公報
【特許文献５】特開２００４−８２４９号公報
【特許文献６】特開平１１−１２８１４号公報
【特許文献７】特開平９−１４９９５９号公報
【０００５】
更にインナーやスポーツウェアとしては、特許文献７、特許文献８、特許文献９の先行技術がある。しかしこれらは、何れもテーピングが一段であり、挫傷、打撲、肉離れ等のスポーツ障害を防止するための肌着であって、筋肉のバランス治療用の肌着ではなかった。
【特許文献８】特開２００４−２６３３６２号公報
【特許文献９】特開平９−２４１９０６号公報
【特許文献１０】特開平８−８１８０７号公報
【０００６】
筋肉のバランス治療用の肌着としては、締め付ける箇所と、締め付けない箇所を交互に、間隔を開けて数段巻回してテーピングし、圧迫と血行の促進とを交互に促す必要がある。筋肉は、筋繊維が集まって筋束を作っている。この筋繊維束の中には、血管や神経が走っている。筋は収縮して固くなるが、これが蓄まると疲労が蓄積して「こり」を生じる。そのため、筋肉のバランスを早く回復させる必要があり、筋肉を強く押さえて血行を促進させる必要がある。
【０００７】
筋肉治療用の肌着の先行技術としては、唯一、下記の実用新案文献のサポータがある。しかしこれは、締め付ける箇所が段状にゴム糸を挿入した、断続的なものからなっており、連続的なものではなかった。
【特許文献１１】実用新案登録第３０４９７２２号公報
【０００８】
即ち、締め付け箇所を、テーピングが肌に張り付けた感触にするためには、カットボス手法や編み組織の変更等の手法によって、その部分の被服圧力を増大させる必要がある。また連続的なものにするためには、スパイラル状に配置することが必要になる。
【発明の開示】
【発明が解決しようとする課題】
【０００９】
上記の事情に鑑み、本発明は、締め付ける箇所が連続した、筋肉のバランス治療を目的とする、テーピング効果を有するニット製肌着等の提供を課題とする。
【課題を解決するための手段】
【００１０】
本発明は上記目的を達成するために、編地にスパイラル状のテーピング組織が複数コース連続的に編成されてなり、該スパイラル状テーピング組織は前記編地に添糸を編み込み、該添糸の両端を切断したカットボス編、又は前記編地組織と異なる組織に編成したテーピング効果を有するニット製肌着、靴下、ふくらはぎサポータ、スパッツ及びタイツ類を構成するものである。
【００１１】
ニット製肌着等はゾッキ、交編又はポリウレタン弾性糸によるフロート編みやレイイン編あるいはこれらの組み合わせによって編成される。
ここで、ゾッキとはパンティストッキング等の編地のように、１種類の弾性糸で編成した編地であって、編地に横じまがなく肌ざわりがなめらかであり、縦横方向によく伸びフット感に優れており、長時間着用してもたるみやひきつれがおこりにくい。
また、交編とは、２種類以上の編糸を交互に組み合わせて編成した編地であり、本願の場合、通常はサポート糸とナイロン糸とを交互に編成し、ナイロン糸に透明感があるため、ゾッキ編より透明感が高くファッション性に優れている。
レイイン編とは、編地に本発明の場合、ポリウレタン弾性糸を挿入して編成することをいう。
カットボス編とは、地糸の上に別の糸を重ねて編成する場合に、地糸からなる編地の部分的な領域に別の糸を編み込んで編成することを総称していう。機能的には、部分的な補強を目的とする場合とデザインを目的とする場合があるが、本発明の場合は、部分的な補強を目的としている。
【００１２】
本発明の糸使いは自由に選択しうるものである。例えば、編地の糸使いは、１０ｄ〜７０デニールのナイロンフィラメントもしくはウーリーナイロン単糸または双糸又は６０〜１００番手の綿、レーヨンからなる混紡糸からなる１種類の糸で編成した編地に、芯糸の２０〜１４０デニールのポリウレタン弾性糸に１０〜７０デニールのナイロンフィラメント糸をカバリングしたシングルカバリングヤーン（ＳＣＹ）または同糸を用いて２重にカバリングしたダブルカバリングヤーン（ＤＣＹ）と交編、又はＳＣＹまたＤＣＹによるフロート編やレイイン編との組み合わせで構成される。
【００１３】
また、交編又はレイイン編で編成される代わりに、芯糸のポリウレタン弾性糸にナイロンフィラメントをカバリングしたシングルカバリングヤーン（ＳＣＹ）またはダブルカバリングヤーン（ＤＣＹ）のみによるゾッキ編で編成してもよい。 
【００１４】
この編地に、スパイラル状にテーピング組織を複数コースを連続して旋回するように編成している。スパイラル状テーピング組織は、編地の編糸に、カットボス編で添糸を給糸している。添糸の糸使いは、本実施例の場合は、芯糸の２０〜１４０デニールのポリウレタン弾性糸に、１０〜７０デニールのナイロンフィラメント又はウーリー糸をカバリングしたサポート糸を使用している。
【００１５】
例えば靴下は、ベース編地の上にカットボスによる伸縮性のあるらせん状のテープ組織で編成される。これは、運動に伴う筋肉の伸縮によって靴下の編地も伸縮を繰り返すが、テーピング組織だけは周囲の動きに逆らって、いわゆるマッサージ効果を励起して血流を増加するものと考えられている。
このテーピング組織のらせん方向は、人体の筋肉の構成が左右対称であるから左右の足では逆方向になる。
【００１６】
このようなスパイラル状テーピング組織３を編成する丸編機は、図１に示すように、編針３０を備えたシリンダ３１の上部に装備されたトランスファダイヤル３２にサーキュラカッタ３４が組み込まれており、ダイヤルシャフト３３の駆動によってシリンダ３１と同期して回転可能になっいる。またトランスファダイヤル３２を保持するプレートの外周には固定ナイフ（図示しない）が装備されており、サーキュラカッタ３４との相互作用によって編糸Ｙを切断できるようになっている。更に、トランスファダイヤル３２を保持するプレートの上部には吸引ダクト３５が設けられており、編糸の糸端を吸引するように立設されている。切断された糸屑は吸引されてフィルタボックスに収集される。
【００１７】
靴下や下半身肌着は足首部がふくらはぎ部に比べて編目を小さくし、上半身肌着は手首部が上腕部に比べて編目を小さくしてもよい。編目が小さいほど単位面積当たりの着圧が大きくなるので、編目を段階的に変化させることによって着圧（締め付け圧）を変化させ、心臓から遠い部分の着圧を大きくし、心臓から近い部分の着圧を小さくすることができる。
【００１８】
普通の靴下は、足の形状にあわせて編目の大きさを変更しながら編成される、いわゆるファッショニングと称し、カットボス編された編目も段階的に変化させながら編成されるが、本願発明の場合、編地に強い伸縮力を有する弾性糸が積極給糸装置によってシリンダの回転数に対して正確な割合で送りこまれるようにプログラム制御されている。
【００１９】
このために、編地の編成に伴って、編目を変化させるファッショニング装置、給糸時の解除テンションを一定に保つテンション装置、コンピュータ制御によって弾性糸の送りこみ量を制御する積極給糸装置を装備した編機によって編成する。このようにして、編目を調整する編目調整装置により足首部がふくらはぎ部、手首部が上腕部に比べて編目を小さくし、着圧を大きくしてもよい。一例として、ＭＥＲＺ社、ＳＡＮＴＯＮＩ社、ＬＯＮＡＴＩ社の編機が用いられる。
【００２０】
また、スパイラル状テーピング組織は、編地組織と異なる組織に編成する場合、任意の編地組織、例えば、平編、メッシュ編、フロート編、タック編、タック編とフロート編との組み合わせ、カットボス編等によって編成することができる。
【発明の効果】
【００２１】
本発明のニット製肌着は、テープを肌に張ったり巻回する必要がなく、肌着を着たり履いたりするだけで、テーピング効果を得ることができる。
【００２２】
本発明のニット製肌着は、カットボスによるテーピング部分の編地が、フラットな編地部分より皮膚を圧する圧力が強く、テープを張つたものと同じ効果がある。
【００２３】
本発明のニット製肌着は、締め付ける箇所を、締め付けない箇所に対して交互に数段、螺旋状に設けているので、疲労を緩和し、コンディショニングを調整するのに有効である。
【発明を実施するための最良の形態】
【００２４】
本発明でいうニット製肌着等とは、ガードル、スパッツ、タイツ、インナーに限らず、靴下も含むものである。以下、本発明の実施例を図面に基づいて詳しく説明する。
【実施例１】
【００２５】
図２は、本発明のスパッツ１の一実施例を示す平面図、図３は、スパイラル状テーピング組織の一実施例を示す組織図、図４は図３の一部拡大組織図である。
【００２６】
スパッツ１は図３、図４に示すように、４０デニールのポリウレタン弾性糸を１４デニールのナイロン糸でカバリングしたダブルカバリングヤーン（ＤＣＹ）の編糸４のコースと６０番手の綿糸５のコースとのを交編したベース地２に、７０デニールのポリウレタン弾性糸を７０デニールのウーリーナイロン糸でカバリングしたシングルカバリングヤーン（ＳＣＹ）を前記編糸４に添糸６として編成した複合編地３であり、比較的サポート力のある生地からなっている。
【００２７】
この編地３は、スパイラル状テーピング組織として数コース、螺旋状に連続して巻回するように編成されている。スパイラル状テーピング組織３は、カットボス編によって添糸６を給糸している。添え糸６の糸使いは、２０デニ−ルのポリウレタン弾性糸に、５０デニ−ルのナイロンフィラメント糸をカバリングした、ＳＣＹ（シングルカバリングヤーン）を使用してもよい。また、６０番手の綿糸５の代わりに綿、レーヨンからなる混紡糸を用いてもよい。
【００２８】
このカットボス編によってプレーティングされた添糸６は、スパイラル状テーピング組織３の両端で切断７される。ポリウレタン弾性糸にナイロンフィラメント糸をカバリングした、いわゆるカバリングヤーンを使用するのは、補強のためであり、ナイロンフィラメント双糸を使用するのは、部分的に編地を硬くして伸びを抑制するためである。そして、靴下の編地も伸縮を繰り返し、テーピング組織は周囲の動きに逆らって、いわゆるマッサージ効果を励起して血流を増加するものと考えられている。
【００２９】
カットボス編によって左回りのスパイラル状テーピング組織３を編成するには、図３に示すように、Ｎ番目のコースのＷ1番目からＷｎ番目のウエールの間に添糸６を編糸４とともに編成し、Ｗ1番目のカットボス開始点とＷｎ番目のカットボス終了点の糸端７は切断される。次いで、Ｗ2ｎ番目からＷ3ｎ番目のウエールの間に添糸６を編糸４とともに編成し、Ｗ2ｎ番目のカットボス開始点とＷ3ｎ番目のカットボス終了点の糸端７は切断される。更に、Ｗ4ｎ番目からＷ5ｎ番目のウエールの間に添糸６を編糸４とともに編成し、Ｗ4ｎ番目のカットボス開始点とＷ5ｎ番目のカットボス終了点の糸端７は切断される。最後に、Ｗ6ｎ番目からＷ7ｎ番目のウエールの間に添糸６を編糸４とともに編成し、Ｗ6ｎ番目のカットボス開始点とＷ7ｎ番目のカットボス終了点の糸端７は切断され、Ｎ番目のコースの編成が終了する。
次に、Ｎ＋２番目のコースのＷ1+1番目からＷｎ+1番目のウエールの間に添糸６を編糸４とともに編成し、Ｗ1+1番目のカットボス開始点とＷｎ+1番目のカットボス終了点の糸端７は切断される。次いで、Ｗ2ｎ+1番目からＷ3ｎ+1番目のウエールの間に添糸６を編糸４とともに編成し、Ｗ2ｎ+1番目のカットボス開始点とＷ3ｎ+1番目のカットボス終了点の糸端７は切断される。更に、Ｗ4ｎ+1番目からＷ5ｎ+1番目のウエールの間に添糸６を編糸４とともに編成し、Ｗ4ｎ+1番目のカットボス開始点とＷ5ｎ+1番目のカットボス終了点の糸端７は切断される。最後に、Ｗ6ｎ+1番目からＷ7ｎ+1番目のウエールの間に添糸６を編糸４とともに編成し、Ｗ6ｎ+1番目のカットボス開始点とＷ7ｎ+1番目のカットボス終了点の糸端７は切断され、Ｎ＋２番目のコースの編成が終了する。
【００３０】
右回りのスパイラルテーピング３を編成する場合は、例えば、Ｎ＋２番目のコースのウエールの変化が、マイナス（例えばＷ1-1番目からＷn-1番目のウエール）となる。
このような編成をコースの進行とともに繰り返してカットボス編によるスパイラルテーピング３を編成する。カットボスの両端の糸端は、シリンダに同期して回転するサーキュラカッタ３４と固定されたナイフによって切断され、ダイヤルプレート上のエアシューから吸引される。制御装置は、糸切断装置と同調してコンピュータ制御によりカットボス編みが選別編成される。
【実施例２】
【００３１】
図５は、本発明の靴下１１の一実施例を示す平面図、図６は、スパイラル状テーピング組織の一実施例を示す組織図、図７は図６の一部拡大組織図である。図６、図７に示すように、靴下の編地は、５０デニールのウーリーナイロン双糸４と２０デニールのポリウレタン弾性糸に１００デニールのウーリーナイロンフィラメント糸をカバリングしたＳＣＹの編糸５との交編コースに、１４０デニールのポリウレタン弾性糸に１２デニールのナイロンフィラメント糸をカバリングしたＤＣＹの編糸８を挿入したレイイン編地１２をベース地としている。
【００３２】
この編地１２のウーリーナイロン双糸４のコースに、カットボス編によって、添糸６を給糸してスパイラル状テーピング組織１３を数コース、螺旋状に連続して巻回するように編成している。添糸６は、５０デニ−ルのウーリーナイロン糸を使用している。
【００３３】
カットボスによる添糸の糸端は、スパイラル状テーピング組織１３の両端で切断７される。そのため、スパイラルテーピング１３の編地は、ベースの編地１２に比べて収縮し、被服圧が増大してテーピング効果を有するようになっている。カットボス編によってスパイラル状テーピング組織を編成する方法は、実施例１と同様である。
【実施例３】
【００３４】
図５に示す靴下の編地の他の実施例として、図８のスパイラル状テーピング組織の他の実施例を示す組織図、図９の一部拡大組織図に示すように、４０デニールのウーリーナイロン双糸４に、１４０デニールのポリレタン弾性糸に１２デニールのウーリーナイロン双糸をカバリングしたＤＣＹの編糸８を挿入したレイイン編地１２をベース地としている。
【００３５】
この編地１２のウーリーナイロン双糸４のコースに、４０デニ−ルのウーリーナイロン双糸６のカットボス編によって、添糸６を給糸してスパイラル状テーピング組織１３を数コース、螺旋状に連続して巻回するように編成している。
【００３６】
カットボスによる添糸の糸端は、スパイラル状テーピング組織１３の両端で切断７される。そのため、スパイラルテーピング１３の編地は、ベースの編地１２に比べて収縮し、被服圧が増大してテーピング効果を有するようになっている。カットボス編によってスパイラル状テーピング組織を編成する方法は、実施例１と同様である。
【００３７】
なお、靴下の編地の更に他の実施例として、５０デニールのウーリーナイロン双糸４に、７０デニールのポリレタン弾性糸に１４デニールのナイロンフィラメント糸をカバリングしたＤＣＹの編糸８を挿入したレイイン編地１２をベース地とし、これに２０デニ−ルのポリレタン弾性糸に５０デニールのウーリーナイロン双糸をカバリングしたＳＣＹの編糸のカットボス編によって、添糸６を給糸してスパイラル状テーピング組織１３を数コース、螺旋状に連続して巻回するように編成してもよい。
【実施例４】
【００３８】
図１０は、本発明のインナーウエアからなる肌着２１の一実施例を示す平面図である。
本例のインナーウエア２１の場合は、両袖の編地２２にスパイラル状テーピング組織２３を編成している。編地２２の糸使いは、実施例１のスパッツと同様であるので省略する。
【実施例５】
【００３９】
靴下の編地の糸使いは、実施例１と同様である。また、手首部が上腕部に比べて編糸の供給量を少なくして編目を小さくし、着圧が大きくするように編成する。  表１はスパイラルテーピングを編成した靴下の着圧を測定した結果を示す。
【表１】
2006312789.tif 000003
なお、測定箇所は、足首のカットボスなしの部位は図５の１２Ａ、足首のカットボスありの部位は１３Ａ、ふくらはぎのカットボスなしの部位は図５の１２Ｂ、ふくらはぎのカットボスありの部位は１３Ｂの位置である。
測定部位の周囲長は、足首２０．４ｃｍ、ふくらはぎ３３ｃｍで測定した。
着圧測定器として、Ｈａｔｒａ  Ｈｏｓｅ  Ｐｒｅｓｓｕｒｅ  Ｔｅｓｔｅｒ  ｍｋ２Ａ型（英国製）を用いた。
デジタル値は測定機の表示数値であり、締め付け圧（ｍｍＨｇ）は、ヘクトパスカル（ｈｐａ）に換算した（ｈｐａ＝ｍｍＨｇ×１．３３）。
なお、デジタル値からミリハーゲ（ｍｍＨｇ）への換算は、ハトラ測定器の換算表による。
【００４０】
静脈の還流は重力に対抗した圧力（締め付け圧）により血液を押し上げなければならないので、締め付け圧は心臓から離れた足首を強くし、心臓に近づくにしたがって弱くするように設計する必要がある。
表１によると、カットボス編でスパイラルテープを編成した部分の着圧は、スパイラルテープを編成していない部分の着圧より大きく、理想的な着圧分布になっていることがわかる。
【産業上の利用可能性】
【００４１】
本発明のニット製肌着等は、筋肉のバランス治療用を始め、筋肉、関節等の動きを規制して挫傷、打撲、肉離れ、捻挫、骨折の防止用として、靴下・ガードル・インナ−等に広く利用しうるものである。
【図面の簡単な説明】
【００４２】
【図１】本発明に使用する丸編機の一部断面側面図である。
【図２】本発明によるスパッツの一実施例を示す平面図である。
【図３】本発明によるレイイン編地とスパイラルテープ周辺の一実施例を示す組織図である。
【図４】図３の一部拡大組織図である。
【図５】本発明による靴下の一実施例を示す平面図である。
【図６】本発明による交編編地とスパイラルテーピンプ周辺の一実施例を示す編成組織図である。
【図７】図６の一部拡大組織図である。
【図８】本発明による靴下の他の実施例のスパイラルテーピンプ周辺を示す編成組織図である。
【図９】図８の一部拡大組織図である。
【図１０】本発明のインナーウエアの一実施例を示す平面図である。
【符号の説明】
【００４３】
１             
スパッツ
１１            靴下
２１            インナーウエア
２，１２，２２  ベースの編地
３，１３，２３  スパイラルテープ組織
４             
編糸
５              サポート糸
６             
カットボス糸
７             
カットボス糸の切断箇所
８             
挿入糸
【図１】
2006312789.tif 000004
【図２】
2006312789.tif 000005
【図３】
2006312789.tif 000006
【図４】
2006312789.tif 000007
【図５】
2006312789.tif 000008
【図６】
2006312789.tif 000009
【図７】
2006312789.tif 000010
【図８】
2006312789.tif 000011
【図９】
2006312789.tif 000012
【図１０】
2006312789.tif 000013